(57)【要約】【課題】  取付けに支障を来たすことなく、外見上も好ましく容易に同軸ケーブルの高周波ノイズを除去する高周波ノイズ除去プラグを提供すること。【解決手段】  本発明の高周波ノイズ除去プラグ１０は、同軸ケーブル２１の芯線２３と接続するプラグピン１３と、プラグピン１３が中心に固定される第１の円筒部１１ａと、第１の円筒部１１ａの後方側に形成され第１の円筒部１１ａより小径の第２の円筒部１１ｂとが形成され同軸ケーブル２１のシールド線２４と接続するプラグケース１１と、第２の円筒部１１ｂの外側に装着する環状のフェライトコア１９とを備えることとした。【選択図】図１
2008098124.tif 000002
【特許請求の範囲】
【請求項１】
同軸ケーブルの芯線と接続するプラグピンと、前記プラグピンが中心に固定される第１の円筒部と、前記第１の円筒部の後方側に形成され前記第１の円筒部より小径の第２の円筒部とが形成され前記同軸ケーブルのシールド線と接続するプラグケースと、前記第２の円筒部の外側に装着する環状のフェライトコアとを備えたことを特徴とする高周波ノイズ除去プラグ。
【請求項２】
前記環状のフェライトコアは、前記第１の円筒部より小径とすることを特徴とする請求項１に記載の高周波ノイズ除去プラグ。
【請求項３】
同軸ケーブルの芯線と接続するプラグピンと、前記プラグピンが前方側の中心に固定されるＬ字形状の第１の円筒部と、前記第１の円筒部の後方側に形成され前記第１の円筒部より小径の第２の円筒部とが形成され前記同軸ケーブルのシールド線と接続するＬ字形状のプラグケースと、前記第２の円筒部の外側に装着する環状のフェライトコアとを備えたことを特徴とする高周波ノイズ除去プラグ。
【発明の詳細な説明】
【技術分野】
【０００１】  本発明は、取付けに支障を来たすことなく、外見上も好ましく容易に同軸ケーブルの高周波ノイズを除去する高周波ノイズ除去プラグに関する。
【背景技術】
【０００２】  同軸ケーブルは、両端にコネクタのプラグが取付けられ、各種の電子機器間の接続に使用されているが、出力側の電子機器で発生した高周波ノイズが入力し、減衰することなく入力側の電子機器に伝送されてしまい誤動作を引き起こすことがある。その高周波ノイズの除去のため、同軸ケーブルの外側に環状のフェライトコアを装着することが行われている（例えば、特許文献１参照）。【０００３】
【特許文献１】  特開平５−２７５２４１号公報
【発明の開示】
【発明が解決しようとする課題】
【０００４】  しかしながら、環状のフェライトコアは、中心線で分割され、分割された環状のフェライトコアが互いに向合わされ、外側に被せられたカバーにより同軸ケーブルに装着されるが、同軸ケーブルの外側にはみ出しているため、与えられた狭いスペースに複数本の同軸ケーブルを取付けることができないことがあり、また、装着するための作業も煩わしく、外見上も好ましくないという問題があった。
本発明は、上記に鑑みてなされたものであって、取付けに支障を来たすことなく、外見上も好ましく容易に同軸ケーブルの高周波ノイズを除去する高周波ノイズ除去プラグを提供することを目的とする。
【課題を解決するための手段】
【０００５】  本発明の高周波ノイズ除去プラグは、同軸ケーブルの芯線と接続するプラグピンと、前記プラグピンが中心に固定される第１の円筒部と、前記第１の円筒部の後方側に形成され前記第１の円筒部より小径の第２の円筒部とが形成され前記同軸ケーブルのシールド線と接続するプラグケースと、前記第２の円筒部の外側に装着する環状のフェライトコアとを備えることとした。
また、本発明の高周波ノイズ除去プラグは、本発明の高周波ノイズ除去プラグは、前記環状のフェライトコアは、前記第１の円筒部より小径とすることとした。
さらに、本発明の高周波ノイズ除去プラグは、同軸ケーブルの芯線と接続するプラグピンと、前記プラグピンが前方側の中心に固定されるＬ字形状の第１の円筒部と、前記第１の円筒部の後方側に形成され前記第１の円筒部より小径の第２の円筒部とが形成され前記同軸ケーブルのシールド線と接続するＬ字形状のプラグケースと、前記第２の円筒部の外側に装着する環状のフェライトコアとを備えることとした。
【発明の効果】
【０００６】  本発明の高周波ノイズ除去プラグは、同軸ケーブルの芯線と接続するプラグピンと、前記プラグピンが中心に固定される第１の円筒部と、前記第１の円筒部の後方側に形成され前記第１の円筒部より小径の第２の円筒部とが形成され前記同軸ケーブルのシールド線と接続するプラグケースと、前記第２の円筒部の外側に装着する環状のフェライトコアとを備えることとしたため、同軸ケーブルの外側には高周波ノイズの除去のために何の取付けもなく、取付けに支障を来たすことなく、外見上も好ましく容易に同軸ケーブルの高周波ノイズを除去することができる。
また、本発明の高周波ノイズ除去プラグは、本発明の高周波ノイズ除去プラグは、前記環状のフェライトコアは、前記第１の円筒部より小径とすることとしたため、外見上もより好ましいものとすることができる。
さらに、本発明の高周波ノイズ除去プラグは、同軸ケーブルの芯線と接続するプラグピンと、前記プラグピンが前方側の中心に固定されるＬ字形状の第１の円筒部と、前記第１の円筒部の後方側に形成され前記第１の円筒部より小径の第２の円筒部とが形成され前記同軸ケーブルのシールド線と接続するＬ字形状のプラグケースと、前記第２の円筒部の外側に装着する環状のフェライトコアとを備えることとしたため、直角方向に取付けた同軸ケーブルの外側には高周波ノイズの除去のために何の取付けもなく、取付けに支障を来たすことなく、外見上も好ましく容易に同軸ケーブルの高周波ノイズを除去することができる。
【発明を実施するための最良の形態】
【０００７】  以下、本発明の実施の形態の本発明の高周波ノイズ除去プラグにつき図を用いて説明する。
【実施例１】
【０００８】  図１は、本発明の第１の実施の形態の高周波ノイズ除去プラグの一部を切り欠いた側面図を示す。
図１に示すように、本発明の第１の実施の形態の高周波ノイズ除去プラグ１０は、同軸ケーブル２１と接続し、環状のフェライトコア１９を内装するもので、キャップ形状のプラグケース１１と、プラグケース１１の内側に固定される環状形状の絶縁部材１２と、環状形状の絶縁部材１２の中心に固定されるプラグピン１３と、プラグケース１１の後方側（図１では上方側）に装着する環状のフェライトコア１９と、プラグケース１１の後方側を覆う円筒形状のカバー１４とで構成されている。
プラグケース１１は、前方側（図１では下方側）には円筒部１１ａが、後方側には円筒部１１ａより小径の円筒部１１ｂが形成された形状に設定され、円筒部１１ｂには環状のフェライトコア１９を装着し同軸ケーブル２１のシールド線２４が接続する。環状形状の絶縁部材１２は、円筒部１１ａが外側からカシメられ円筒部１１ａに固定される。また、プラグピン１３は、環状突起部１３ｂと、後端部のカシメにより環状形状の絶縁部材１２に固定されている。【０００９】  同軸ケーブル２１は、芯線２３が絶縁部２２の中心に配置され、絶縁部２２の外側は細いエナメル線で編まれたシールド線２４と絶縁チューブ２５とで覆われている。同軸ケーブル２１が高周波ノイズ除去プラグ１０に装着されるときには、絶縁チューブ２５が先端から予め定めた長さだけ切り落とされ、また、絶縁部２２とシールド線２４とが先端から予め定めたより短い長さだけ切り落とされている。同軸ケーブル２１は、円筒形状のカバー１４の中を通され、同軸ケーブル２１の芯線２３は、プラグピン１３の中を通り先端に設けられた芯線固定穴１３ａの外側でハンダ付けにより固定されプラグピン１３と接続する。絶縁部２２は、プラグケース１１の円筒部１１ａに挿入され、シールド線２４が環状のフェライトコア１９を装着した円筒部１１ｂの後端の外側と接続する。円筒形状のカバー１４は、内側に同軸ケーブル２１が装着されており、同軸ケーブル２１に沿って前方側に移動することにより、環状のフェライトコア１９が円筒部１１ａの外側に固定されるとともに、シールド線２４も円筒部１１ａの外側に固定され接続する。
高周波ノイズ除去プラグ１０は、プラグケース１１の円筒部１１ａに円筒形状のジャック（図示せず）が挿入され、プラグピン１３はジャックのピン受部と接続し、ジャックの胴体部はプラグケース１１の円筒部１１ａの内側に当接し、ジャックと接続する。【００１０】  図２は、本発明の第１の実施の形態の高周波ノイズ除去プラグのプラグケースとカバーの側面図を示し、図２（ａ）は、プラグケースの側面図を示し、図２（ｂ）は、カバーの側面図を示す。
図２（ａ）に示すように、図１に示す本発明の第１の実施の形態の高周波ノイズ除去プラグ１０のキャップ形状のプラグケース１１は、円筒部１１ａと円筒部１１ａより小径の円筒部１１ｂが形成され、図１に示す同軸ケーブル２１と接続し、環状のフェライトコア１９を円筒部１１ａに装着する。
また、図２（ｂ）に示すように、図１に示す本発明の第１の実施の形態の高周波ノイズ除去プラグ１０の円筒形状のカバー１４は、プラグケース１１の後方側を覆い、円筒部１４ａで環状のフェライトコア１９を固定し、円筒部１４ｂで内側に装着する図１に示すシールド線２４を固定する。【００１１】  以上述べたように、本発明の第１の実施の形態の高周波ノイズ除去プラグ１０は、同軸ケーブル２１と接続し、環状のフェライトコア１９を内装するため、同軸ケーブルの外側には高周波ノイズの除去のために何の取付けもなく、取付けに支障を来たすことなく、外見上も好ましく容易に同軸ケーブルの高周波ノイズを除去することができる。
また、本発明の第１の実施の形態の高周波ノイズ除去プラグ１０は、前方側の円筒部１１ａより後方側の円筒部１１ｂを小径とし、後方側の円筒部１１ｂに環状のフェライトコア１９を装着しているため、全体の外形を前方側の円筒部１１ａと同径またはより小とすることもできる。
【実施例２】
【００１２】  次に、本発明の第２の実施の形態のＬ型の高周波ノイズ除去プラグにつき説明する。【００１３】  図３は、本発明の第２の実施の形態のＬ型の高周波ノイズ除去プラグの一部を切り欠いた側面図を示す。
図３に示すように、本発明の第２の実施の形態のＬ型の高周波ノイズ除去プラグ３０は、直角方向に同軸ケーブル４１と接続し、環状のフェライトコア３９を内装するもので、Ｌ字形状のプラグケース３１と、プラグケース３１の内側に固定される環状形状の絶縁部材３２と、環状形状の絶縁部材３２の中心に固定されるＬ字形状のプラグピン３３と、プラグケース３１の後方側（図１では右方側）に装着する環状のフェライトコア３９と、プラグケース３１の後方側を覆う円筒形状のカバー３４とで構成されている。
Ｌ字形状のプラグケース３１は、前方側（図３では下方側）にはＬ字形状の円筒部３１ａが、後方側には円筒部３１ａより小径の円筒部３１ｂが形成された形状に設定され、円筒部３１ｂには環状のフェライトコア３９を装着し同軸ケーブル４１のシールド線４４が接続する。環状形状の絶縁部材３２は、円筒部３１ａが外側からカシメられ円筒部３１ａに固定される。また、プラグピン３３は、絶縁部材３２の内側に圧入され絶縁部材３２の内側に形成された凸部（図示せず）とプラグピン３３の外側に形成された凹部（図示せず）とがはめ合わされ絶縁部材３２に固定されている。【００１４】  同軸ケーブル４１は、芯線４３が絶縁部４２の中心に配置され、絶縁部４２の外側は細いエナメル線で編まれたシールド線４４と絶縁チューブ４５とで覆われている。同軸ケーブル４１がＬ型の高周波ノイズ除去プラグ３０に装着されるときには、絶縁チューブ４５が先端から予め定めた長さだけ切り落とされ、また、絶縁部４２とシールド線４４とが先端から予め定めたより短い長さだけ切り落とされている。同軸ケーブル４１は、円筒形状のカバー３４の中を通され、同軸ケーブル４１の芯線４３は、Ｌ字形状のプラグピン３３の中を通り先端に設けられた芯線固定穴３３ａの外側でハンダ付けにより固定されプラグピン３３と接続する。絶縁部４２は、プラグケース３１の円筒部３１ａに挿入され、シールド線４４が環状のフェライトコア３９を装着した円筒部３１ｂの後端で外側と接続する。円筒形状のカバー３４は、内側に同軸ケーブル４１が装着されており、同軸ケーブル４１に沿って前方側に移動することにより、環状のフェライトコア３９が円筒部３１ａの外側に固定されるとともに、シールド線４４も円筒部３１ａの外側に固定され接続する。
Ｌ型の高周波ノイズ除去プラグ３０は、プラグケース３１の円筒部３１ａに円筒形状のジャック（図示せず）が挿入され、プラグピン３３はジャックのピン受部と接続し、ジャックの胴体部はプラグケース３１の円筒部３１ａの内側に当接し、ジャックと接続する。【００１５】  以上述べたように、本発明の第２の実施の形態のＬ型の高周波ノイズ除去プラグ３０は、直角方向に同軸ケーブル４１と接続し、環状のフェライトコア３９を内装するため、直角方向に取付けた同軸ケーブル４１の外側には高周波ノイズの除去のために何の取付けもなく、取付けに支障を来たすことなく、外見上も好ましく容易に同軸ケーブルの高周波ノイズを除去することができる。
また、本発明の第２の実施の形態のＬ型の高周波ノイズ除去プラグ３０は、前方側の円筒部３１ａより後方側の円筒部３１ｂを小径とし、後方側の円筒部３１ｂに環状のフェライトコア３９を装着しているため、全体の外形を前方側の円筒部３１ａと同径またはより小とすることもできる。
なお、本発明の第１、第２の実施の形態の高周波ノイズ除去プラグは、同軸ケーブルを装着する例につき説明したが、その他一般ケーブルも装着することもでき、各種の信号線を装着することができる。
【図面の簡単な説明】
【００１６】
【図１】  本発明の第１の実施の形態の高周波ノイズ除去プラグの一部を切り欠いた側面図を示す。
【図２】  本発明の第１の実施の形態の高周波ノイズ除去プラグのプラグケースとカバーの側面図を示し、図２（ａ）は、プラグケースの側面図を示し、図２（ｂ）は、カバーの側面図を示す。
【図３】  本発明の第２の実施の形態のＬ型の高周波ノイズ除去プラグの一部を切り欠いた側面図を示す。
【符号の説明】
【００１７】  １０  高周波ノイズ除去プラグ
１１  プラグケース
１１ａ、１１ｂ  円筒部
１２、３２  絶縁部材
１３  プラグピン
１４、３４  カバー
１９、３９  フェライトコア
２１、４１  同軸ケーブル
２３、４３  芯線
２４、４４  シールド線
３０  Ｌ型の高周波ノイズ除去プラグ
３１  Ｌ字形状のプラグケース
３３  Ｌ字形状のプラグピン
【図１】
2008098124.tif 000003
【図２】
2008098124.tif 000004
【図３】
2008098124.tif 000005